(57)【要約】【課題】裏紙原稿が用いられる場合に、使用者が原稿の表裏のセット方向を間違えても、原稿の読み取りをやり直さずに使用者が意図した面の画像情報を出力できる画像読取装置を提供すること。【解決手段】画像読取装置は、搬送されてくる原稿の表裏となる第１面及び第２面の画像情報をそれぞれ読み取る第１読取手段及び第２読取手段と、読み取られた画像情報を記憶する記憶部と、第１面のみを読み取ることを意図した片面読取モードと第１面と第２面の両面を読み取ることを意図した両面読取モードを任意に設定可能とする読取モード選択手段と、第１読取手段、第２読取手段、記憶部および読取モード選択手段を制御する制御部を有し、制御部は片面読取モードが設定されている場合に、原稿の第１面及び第２面の画像情報を第１及び第２読取手段によってそれぞれ読み取って第１面の画像情報を出力させると共に、少なくとも第２面の画像情報を記憶部に記憶させる。【選択図】図１
2006067309.tif 000002
【特許請求の範囲】
【請求項１】
搬送されてくる原稿の表裏となる第１面及び第２面の画像情報をそれぞれ読み取る第１読取手段及び第２読取手段と、読み取られた画像情報を記憶する記憶部と、第１面のみを読み取ることを意図した片面読取モードと第１面と第２面の両面を読み取ることを意図した両面読取モードを任意に設定可能とする読取モード選択手段と、第１読取手段、第２読取手段、記憶部および読取モード選択手段を制御する制御部を有し、制御部は片面読取モードが設定されている場合に、原稿の第１面及び第２面の画像情報を第１及び第２読取手段によってそれぞれ読み取って第１面の画像情報を出力させると共に、少なくとも第２面の画像情報を記憶部に記憶させることを特徴とする画像読取装置。
【請求項２】
制御部は、搬送されてくる原稿が複数枚であって第１および第２読取手段による読取中に出力すべき画像情報を第１面から第２面へ切換える指示を受けたときに、記憶部に記憶されている第２面の画像情報を１枚目の原稿にさかのぼって順次出力することを特徴とする請求項１に記載の画像読取装置。
【請求項３】
制御部は、出力すべき画像情報を第１面から第２面へ切換える指示を受けたときに、それ以降の第１読取手段の読取動作を停止させることを特徴とする請求項２に記載の画像読取装置。
【請求項４】
第１および第２読取手段はそれぞれ光源を備え、制御部は出力すべき画像情報を第１面から第２面へ切換える指示を受けたときに、それ以降の第１読取手段の光源への電力の供給を止めることを特徴とする請求項３に記載の画像読取装置。
【請求項５】
制御部は、第１および第２読取手段が共に作動する場合に読み取られた画像情報と、第２読取手段のみが作動する場合に読み取られた画像情報の明るさが互いに同一となるように、読み取られた画像情報に補正を加えることを特徴とする請求項４に記載の画像読取装置。
【請求項６】
制御部は、第１および第２読取手段が共に作動する場合に読み取られる画像情報と、第２読取手段のみが作動する場合に読み取られる画像情報の明るさが互いに同一となるように、第２読取手段の光源の光量を補正することを特徴とする請求項４に記載の画像読取装置。
【請求項７】
第１および第２読取手段はそれぞれ光源を備え、制御部は出力すべき画像情報を第１面から第２面へ切換える指示を受けたときに、それ以降の第１読取手段の読取動作を停止させつつ、第１読取手段の光源への電力の供給を継続することを特徴とする請求項３に記載の画像読取装置。
【請求項８】
請求項２〜７のいずれか１つに記載の画像読取装置を備え、少なくとも第１面又は第２面の画像情報が形成されたプリント物を排出する画像形成装置。
【請求項９】
排出されるプリント物を受ける複数の排出トレイを更に備え、出力すべき画像情報が第１面から第２面へ切換えられたときに、第１面の画像情報が形成されたプリント物を排出した排出トレイと異なる排出トレイに第２面の画像情報が形成されたプリント物を排出することを特徴とする請求項８に記載の画像形成装置。
【請求項１０】
排出トレイと、プリント物の排出方向を９０°変換する仕分手段とを更に備え、出力すべき画像情報が第１面から第２面へ切換えられたときに、第２面の画像情報が形成されたプリント物を、第１面の画像情報が形成されたプリント物の排出方向から９０°変換して排出することを特徴とする請求項８に記載の画像形成装置。
【請求項１１】
任意に取り外し可能な外部記憶手段を更に備え、最終的に出力された第１面又は第２面の画像情報が外部記憶手段に記憶されることを特徴とする請求項８に記載に画像形成装置。
【発明の詳細な説明】
【技術分野】
【０００１】
この発明は、画像読取装置とそれを備えた画像形成装置に関し、詳しくは、両面に画像を有する原稿を読み取る画像読取装置に関する。
【背景技術】
【０００２】
近年、原稿を自動的に順次搬送して原稿に形成されている画像を順次読み取る画像読取装置は、効率的な画像の読み取りや、画像形成を行うために、原稿を自動的に搬送しながら読み取りが行われるようになっている。
また、両面に画像を有する原稿については、より効率的に読み取りを行うために、原稿の両面の画像をほぼ同時に読み取ることができるようにしたものもある。
【０００３】
このような画像読取装置では、通常、原稿トレイに原稿をセットする向き（表向き又は裏向き）が予め決められており、絵文字や注意書きにより使用者に対して原稿の表裏を正しい向きにセットするよう案内している。
ところが、原稿を原稿トレイにセットする向きは、メーカーによって異なっていたり、同一メーカーのものでも機種によって異なっていたりするため、稀に表裏を逆向きに原稿をセットしてしまい、使用者が本来意図していない原稿の裏面を読み取って不必要な画像データを出力してしまう問題がある。
【０００４】
そのような問題に対処したものとして、両面をほぼ同時に読み取ることができる画像読取装置において、原稿の片面を読み取るモードであっても、原稿の表裏それぞれの面に対応する２つの読取手段を動作させて原稿の表側を判断し、原稿の表側に対応する原稿読取手段によって読み取られた画像データを出力できるように構成された画像読取装置が知られている（例えば、特許文献１参照）。
【特許文献１】特開平１０−１７８５１９号公報
【発明の開示】
【発明が解決しようとする課題】
【０００５】
ところが、最近、省資源の観点から、画像形成に新品のシートでなく、一度画像形成を行った使用済みのシート、いわゆる一般的に「裏紙」と称されるシートが多く使用されるようになり、原稿の裏側が白紙（無画像）でない原稿を用いるケースが多くなってきている。
【０００６】
このような裏紙原稿を用いた場合には、裏側にも画像が形成されているために上述の従来の画像読取装置では、原稿の表側と裏側を判別することができず、画像読取装置が正常な動作を行えない状態に陥ってしまう恐れがある。
また、原稿の表裏を判別できない従来の画像読取装置を用いて原稿を読み取る場合、使用者は原稿を逆向きにセットしたことによって不必要な面の画像が出力されたプリント物を見るまで誤りに気付かず、原稿の読み取りをやり直すためには、既に読取装置で読み取られた原稿と、まだ読み取られていない原稿を原稿トレイに正しい向きでセットし直して、もう一度最初から原稿の読み取りをやり直さなければならなかった。
【０００７】
この発明は以上のような事情を考慮してなされたものであり、裏紙原稿が用いられる場合に、使用者が原稿の表裏のセット方向を間違えても、原稿の読み取りをやり直さずに使用者が意図した面の画像情報を出力できる画像読取装置を提供するものである。
【課題を解決するための手段】
【０００８】
この発明は、搬送されてくる原稿の表裏となる第１面及び第２面の画像情報をそれぞれ読み取る第１読取手段及び第２読取手段と、読み取られた画像情報を記憶する記憶部と、第１面のみを読み取ることを意図した片面読取モードと第１面と第２面の両面を読み取ることを意図した両面読取モードを任意に設定可能とする読取モード選択手段と、第１読取手段、第２読取手段、記憶部および読取モード選択手段を制御する制御部を有し、制御部は片面読取モードが設定されている場合に、原稿の第１面及び第２面の画像情報を第１及び第２読取手段によってそれぞれ読み取って第１面の画像情報を出力させると共に、少なくとも第２面の画像情報を記憶部に記憶させることを特徴とする画像読取装置を提供するものである。
【発明の効果】
【０００９】
この発明によれば、第１面の画像情報を読み取って出力することを意図した片面読取モードが設定されている場合であっても、少なくとも第２面の画像情報が記憶部に記憶されるので、使用者が原稿の表裏のセット方向を間違えた場合でも、原稿の読取を最初からやり直すことなく使用者の意図した面の画像情報を出力させることが可能になる。
【発明を実施するための最良の形態】
【００１０】
この発明による画像読取装置は、搬送されてくる原稿の表裏となる第１面及び第２面の画像情報をそれぞれ読み取る第１読取手段及び第２読取手段と、読み取られた画像情報を記憶する記憶部と、第１面のみを読み取ることを意図した片面読取モードと第１面と第２面の両面を読み取ることを意図した両面読取モードを任意に設定可能とする読取モード選択手段と、第１読取手段、第２読取手段、記憶部および読取モード選択手段を制御する制御部を有し、制御部は片面読取モードが設定されている場合に、原稿の第１面及び第２面の画像情報を第１及び第２読取手段によってそれぞれ読み取って第１面の画像情報を出力させると共に、少なくとも第２面の画像情報を記憶部に記憶させることを特徴とする。
【００１１】
この発明による画像読取装置において、原稿の表裏となる第１面及び第２面とは、第１面が原稿の表側、第２面が原稿の裏側であってもよいし、或いは、第１面が原稿の裏側、第２面が原稿の表側であってもよい。
第１読取手段とは原稿の第１面に形成された画像を読み取って電子情報としての画像情報に変換できるものであればどのようなものであってもよく、例えば、ＣＣＤ（Charge Coupled Device）イメージセンサなどが第１読取手段として利用できる。
第２読取手段とは原稿の第２面に形成された画像を読み取って電子情報としての画像情報に変換できるものであればどのようなものであってもよく、例えば、ＣＩＳ（Contact Image Sensor）などが第２読取手段として利用できる。
【００１２】
記憶部とは、第１及び第２読取手段によって電子情報化された第１面と第２面の画像情報のうち、少なくとも第２面の画像情報を電子情報として記憶できるものであればどのようなものであってもよく、例えば、ＲＡＭやフラッシュメモリ等を記憶部として利用できる。なお、この発明による画像読取装置において、記憶部は、もちろん第１面の画像情報と第２面の画像情報の両方を記憶しても構わない。
読取モード選択手段とは、使用者の意図に基づいて第１面のみを読み取る設定とするのか、或いは、第１面と第２面の両面を読み取る設定とするのかについて使用者の指示を受け付け、その指示を制御部に伝達できるものであればよく、例えば、画像読取装置に設けられる押下式のキースイッチやタッチパネル式の液晶表示パネルなどで構成される操作部を読取モード選択手段とすることができる。
制御部とは、上述の第１読取手段、第２読取手段、記憶部および読取モード選択手段を統合して制御できるものであればどのようなものであってもよく、例えば、ＣＰＵ、ＲＡＭ、ＲＯＭ、Ｉ／Ｏポートなどからなるマイクロコンピュータで一体的に構成できる。
【００１３】
この発明による画像読取装置において、制御部は、搬送されてくる原稿が複数枚であって第１および第２読取手段による読取中に出力すべき画像情報を第１面から第２面へ切換える指示を受けたときに、記憶部に記憶されている第２面の画像情報を１枚目の原稿にさかのぼって順次出力するように構成されることが好ましい。
このような構成によれば、原稿の読取中に使用者が原稿の表裏のセット方向の誤りに気付いた際に、出力すべき画像情報を第１面から第２面へ切換えることができ、切換えられた第２面の画像情報は、切換えられた後に読み取られた原稿からではなく１枚目の原稿にさかのぼって順次出力されるので使用者にとって極めて便利である。もちろん、上述の通り、原稿の読み取りを最初からやり直す必要もない。
【００１４】
切換え指示を受けた際に制御部が出力面を第１面から第２面へ切換える上記構成において、制御部は、出力すべき画像情報を第１面から第２面へ切換える指示を受けたときに、それ以降の第１読取手段の読取動作を停止させるように構成されることが好ましい。
このような構成によれば、切換えられて出力の対象外となった第１面の画像情報を読み取る第１読取手段の不要な読取動作を停止させることにより、制御部の負担や電力の消費を軽減することができる。また、記憶部が第１面の画像情報と第２面の画像情報の両方を記憶するように設定されている場合には、記憶部の負担も軽減される。
【００１５】
また、切換指示を受けた際に制御部が第１読取手段の読取動作を停止させる上記構成において、第１および第２読取手段はそれぞれ光源を備え、制御部は出力すべき画像情報を第１面から第２面へ切換える指示を受けたときに、それ以降の第１読取手段の光源への電力の供給を止めるように構成されてもよい。
このような構成によれば、切換えられて読取動作が停止された第１読取手段の光源への電力の供給も止められるので電力の消費を最大限に低減できる。
原稿を露光するための光源は、電力の消費が大きいため、上記構成は電力消費の低減を図るうえで非常に効果的である。
【００１６】
また、切換えられた際に第１読取手段の光源への電力の供給が止められる上記構成を採用する場合には、制御部は、第１および第２読取手段が共に作動する場合に読み取られた画像情報と、第２読取手段のみが作動する場合に読み取られた画像情報の明るさが互いに同一となるように、読み取られた画像情報に補正を加えることが好ましい。
【００１７】
これは、第１読取手段と第２読取手段の読取位置が近接して配置されている場合には、２つの読取手段をほぼ同時に作動させると、いずれか一方の読取手段を単独で作動させる場合に比べて光干渉（反対側の読取手段の照明光が原稿を透過して入射する現象）のために原稿の明るさが明るくなるという事情に起因する。つまり、近接する２つの読取手段がほぼ同時に作動する場合と、１つの読取手段が単独で作動する場合とでは、読み取られた画像情報の明るさに差異が生じ、画像品質の低下を招いてしまう。
【００１８】
しかしながら、制御部が画像情報に補正を加える上記構成によれば、いずれの場合でも画像情報の明るさを均一に保つことができ、画像品質の低下を防止できる。
具体的には、例えば、第１および第２読取手段が共に作動したときに読み取られた画像情報の明るさを基準とし、第１面から第２面への切換後、第２読取手段のみが作動して読み取られた画像情報の明るさが前記基準の明るさと同程度となるように補正を行なうことにより、いずれの場合でも画像情報の明るさを均一に保つことができる。
【００１９】
また、切換えられた際に第１読取手段の光源への電力の供給が止められる上記構成を採用する場合には、制御部は、第１および第２読取手段が共に作動する場合に読み取られる画像情報と、第２読取手段のみが作動する場合に読み取られる画像情報の明るさが互いに同一となるように、第２読取手段の光源の光量を補正するように構成されてもよい。
このような構成によっても、上述の画像情報に補正を行なう場合と同様の効果を得ることができる。
具体的には、第１読取手段の光源への電力の供給が止められた場合に、第１読取手段の光源が消されることによる光量の減少分を補えるよう、それ以降の第２読取手段の光源の光量の増大させることにより、いずれの場合でも画像情報の明るさを均一に保つことができる。
【００２０】
また、切換指示を受けた際に制御部が第１読取手段の読取動作を停止させる上記構成において、第１および第２読取手段はそれぞれ光源を備え、制御部は出力すべき画像情報を第１面から第２面へ切換える指示を受けたときに、第１読取手段の読取動作を停止させつつ、第１読取手段の光源への電力の供給を継続するように構成されてもよい。
このような構成によれば、第１および第２読取手段が共に作動する場合と、第２読取手段のみが作動する場合とで、画像読取時の明るさが変化しないため、上述の補正制御を行なう必要がなくなり、制御が簡単になると共に制御部の負担を軽減することができる。
【００２１】
この発明は別の観点からみると、少なくとも切換え指示を受けた際に制御部が出力面を第１面から第２面へ切換えるように構成されてなる上記構成の画像読取装置を備え、少なくとも第１面又は第２面の画像情報が形成されたプリント物を排出する画像形成装置を提供するものでもある。
このような画像形成装置によれば、画像形成装置において上述の画像読取装置によりもたらされる効果を得ることができ、原稿の表裏のセット方向を間違えてセットしても、原稿を読み直すことなく意図した面の画像形成を速やかに行うことができる。
【００２２】
この発明による上記画像形成装置は、排出されるプリント物を受ける複数の排出トレイを更に備え、出力すべき画像情報が第１面から第２面へ切換えられたときに、第１面の画像情報が形成されたプリント物を排出したトレイと異なる排出トレイに第２面の画像情報が形成されたプリント物を排出するように構成されてもよい。
このような構成によれば、先に排出された不必要なプリント物と、出力面を切換えた後に排出されてくる必要なプリント物とが、それぞれ異なる排出トレイに排出されるので、必要なプリント物と不必要なプリント物とを仕分ける使用者の仕分け作業が不要となり便利である。
【００２３】
また、この発明による上記画像形成装置は、排出トレイと、プリント物の排出方向を９０°変換する仕分手段とを更に備え、出力すべき画像情報が第１面から第２面へ切換えられたときに、第２面の画像情報が形成されたプリント物を、第１面の画像情報が形成されたプリント物の排出方向から９０°変換して排出するように構成されてもよい。
このような構成によれば、先に排出された不必要なプリント物と、出力面を切換えた後に排出されてくる必要なプリント物とが、互いに直交する方向に重なるように排出トレイに排出されるので、必要なプリント物と不必要なプリント物とを仕分ける使用者の仕分け作業が不要となり便利である。
【００２４】
また、この発明による上記画像形成装置は、任意に取り外し可能な外部記憶手段を更に備え、最終的に出力された第１面又は第２面の画像情報が外部記憶手段に記憶されるように構成されることが好ましい。
このような構成によれば、使用者が意図する必要な画像情報のみが外部記憶手段に記憶され、記憶された必要な画像情報は外部記憶手段によって持ち運び可能となるので、使用者が後にその画像情報を様々な用途に活用でき便利である。
【００２５】
以下、図面に示す実施例に基づいてこの発明を詳細に説明する。
【実施例】
【００２６】
この発明の実施例による画像読取装置とそれを備えた画像形成装置について、図１〜７に基づいて説明する。図１は実施例による画像読取装置の概略的な構成を示す説明図、図２は実施例による画像読取装置の概略的な電気的構成を示すブロック図、図３および図４は制御部の制御フローを示すフローチャート図、図５は操作パネルの構成を示す説明図、図６は使用者に読取対象面の切換案内を行う場合に、操作パネルに表示される「案内表示」の一例を示す説明図、図７は図１に示される画像読取装置を読取部として備えた画像形成装置の概略的な構成を示す説明図である。
【００２７】
（１）画像読取装置
図１〜４に示されるように、実施例による画像読取装置１は、搬送されてくる原稿の表裏となる第１面及び第２面の画像情報をそれぞれ読み取るＣＣＤ読取ユニット（第１読取手段）１１及びＣＩＳ（第２読取手段）２１と、読み取られた画像情報を記憶する記憶部４７と、第１面のみを読み取ることを意図した片面読取モードと第１面と第２面の両面を読み取ることを意図した両面読取モードを任意に設定可能とする操作部４６（読取モード選択手段）と、ＣＣＤ読取ユニット１１、ＣＩＳ２１、記憶部４７および操作部４６を制御する制御部４１を有し、制御部４１は片面読取モードが設定されている場合に、原稿の第１面及び第２面の画像情報をＣＣＤ読取ユニット１１及びＣＩＳ２１によってそれぞれ読み取って第１面の画像情報を出力させると共に、第１面及び第２面の画像情報を記憶部４７に記憶させるように構成されている。
【００２８】
（１−１）画像読取装置の機械的構成
図１に示されるように、画像読取装置１は、光学系２と、その上方に配置されるＡＤＦ（Auto Document  Feeder）３とを備えて構成されており、複写機やファクシミリ装置のスキャナ装置として用いられ、原稿の両面を読み取り可能な構成である。
【００２９】
光学系２は、ＣＣＤ読取ユニット１１を備えて構成され、原稿台１２上に載置され、平面支持された原稿の第１面の画像情報を光源ユニット１３およびミラーユニット１４によって、固定位置に設けられたＣＣＤ読取ユニット１１に結像し読み取りを行う。
【００３０】
ＣＣＤ読取ユニット１１は、結像レンズ１１ａおよびＣＣＤイメージセンサ１１ｂなどを備えて構成される。
光源ユニット１３は、光源１３ａと、その光源１３ａからの読み取り用の照明光を原稿台１２上の所定の読み取り位置に集光するミラー１３ｂと、原稿からの反射光のみを通過させるスリット１３ｃと、スリット１３ｃを通過した光の光路を９０°変更するミラー１３ｄとを備えて構成される。
ミラーユニット１４は、光源ユニットからの光の光路を１８０°変更する一対のミラー１４ａ，１４ｂを備えて構成される。
【００３１】
光源ユニットの速度をＶとすると、ミラーユニット１４はＶ／２の速度で、参照符１３ｅ，１３ｆ等で示すように矢符１５方向（副走査方向）に変位してゆくことによって、原稿画像を読み取ることができる。
なお、図示していないが、ＣＣＤ読取ユニット１１は、少なくともＣＣＤイメージセンサ１１ｂ、結像レンズ１１ａおよび光源１３ａを１つのユニットに構成した縮小読取光学系または等倍読取光学系のユニットをＶの速度で走査させる構造とされてもよい。
【００３２】
この光学系２には、原稿台１２から副走査方向に離間して、別の原稿台１６が設けられている。光源ユニット１３は、この原稿台１６の下方まで変位して静止した状態で、原稿台１６上を搬送されてゆく原稿の第１面（表面）の画像を照らすことができる。その搬送された原稿の出口付近には、排紙トレイ１７が設けられている。
【００３３】
一方、ＡＤＦ３は、第２読取手段であるＣＩＳ２１を備えて構成され、原稿トレイ２２上に積層状態で載置された原稿を１枚ずつ取り込んでゆき、ＣＩＳ２１で、その原稿の第２面（裏面）の画像情報を読み取る。このため、各種のローラＲ１〜Ｒ１０、検出器Ｓ１〜Ｓ６、湾曲搬送経路２３およびレジスト・斜行補正領域２４をさらに備えて構成されている。
ＣＩＳ２１は、たとえばアレイ状のイメージセンサと、アレイ状の導光手段（セルフォックレンズ等のレンズアレイ）と、光源（ＬＥＤアレイ光源または蛍光灯）などからなる密着イメージセンサである。
【００３４】
原稿トレイ２２は電動トレイであり、アクチュエータＳ１ａおよびセンサ本体Ｓ１ｂからなる光学式の原稿検出器Ｓ１によって原稿トレイ２２に原稿がセットされたことを検知すると、スタートキーＫ５（図５参照）が点灯し待機状態となる。
そして、原稿の給紙開始信号が入力されると、呼込ローラＲ１が呼込ローラ位置検出器Ｓ２によって検知されるまで原稿トレイ２２を上昇させた後に呼込ローラＲ１が回転駆動され、原稿束の最上面原稿から順次取り込まれる。
【００３５】
呼込ローラＲ１の下流側には、分離ローラＲ２，Ｒ２ａが配置されている。呼込ローラＲ１はアーム２５に支持され、アーム２５は分離ローラＲ２の回転軸に回動可能に支持されている。そして自重または付勢力により呼込ローラＲ１が原稿に接触するようになっている。
アーム２５には凸部が形成されており、光センサ等で構成される呼込ローラ位置検出器Ｓ２によって、呼込ローラＲ１の高さをアーム２５の揺動角から検出できるようになっている。この実施例では、アーム２５に凸部を設け直接に呼込ローラ位置検出器Ｓ２で検出しているが、呼込ローラ位置検出器Ｓ２はアーム２５から離れた位置に設けることもでき、その場合には可動連結手段を用いてアーム２５の高さを検出できるようにすればよい。
【００３６】
分離ローラＲ２にはトルクリミッタを備えたローラＲ２ａ（代りに摩擦パッドであってもよい）が対向して設けられ、原稿が重送されることなく、１枚の原稿が確実に分離されて搬送されるようになっている。
したがって、呼込ローラＲ１によって複数枚の原稿が取り込まれても、分離ローラＲ２，Ｒ２ａによって、呼込ローラＲ１に密着していた最上面の原稿のみが取り込まれ、湾曲搬送経路２３へと搬送される。
原稿が前記分離ローラＲ２，Ｒ２ａで確実に分離供給されたか否かは、アクチュエータＳ３ａおよびセンサ本体Ｓ３ｂからなる給紙検出器Ｓ３によって検知される。そして、所定のタイミングで、下流側の前記湾曲搬送経路２３へと導かれる。
【００３７】
湾曲搬送経路２３では、原稿は搬送ローラＲ３〜Ｒ７によって搬送され、無理なく導かれているか否かは、アクチュエータＳ４ａおよびセンサ本体Ｓ４ｂからなり、湾曲搬送経路２３からの排出を検知する給紙検出器Ｓ４によって検知される。湾曲搬送経路２３は、あらゆる種類の原稿の安定供給をメーカーが保証できる曲率となっており、読み取り可能な原稿のうち、最も厚い、すなわち最も腰のある原稿を円滑に搬送できる曲率となっている。
湾曲搬送経路２３から排出された原稿は、レジスト・斜行補正領域２４に搬送され、その先端がレジスト・斜行補正領域２４の出口付近にあるレジストローラＲ８，Ｒ９の手前に配置された給紙検出器Ｓ５によって検知されると、レジストローラＲ８，Ｒ９を停止させた状態で、所定時間、上流側からの搬送力でもって衝突させ、レジストおよび斜行の補正が行われる。給紙検出器Ｓ５は、アクチュエータＳ５ａおよびセンサ本体Ｓ５ｂからなる。
【００３８】
レジスト・斜行補正領域２４は、湾曲搬送経路２３の最終の搬送ローラＲ６，Ｒ７の対からレジストローラＲ８，Ｒ９の対までのレジスト・斜行補正領域２４において、上述のようなレジストおよび斜行の補正を行えるように、これらのローラＲ６，Ｒ７；Ｒ８，Ｒ９間の距離は、原稿送り装置として処理することが可能な原稿の中で、最も小さな原稿の搬送方向の長さが最低限設定されていればよい。すなわち、湾曲搬送経路２３に残っている原稿の後端部分が少ない程、原稿のレジストおよび斜行の補正がスムーズに行えることとなる。
【００３９】
次に、ここでレジストおよび斜行の補正が行われた原稿は、所定のタイミングで搬送が再開され、原稿の表面を露光走査するための第１の読取位置Ｐｏｓ１へと導かれる。さらに、引き続き原稿の裏面を露光走査するための第２の読取位置Ｐｏｓ２を通過する。第１の読取位置Ｐｏｓ１へは光源ユニット１３が臨み、第２の読取位置Ｐｏｓ２へはＣＩＳ２１が臨んでいる。
そして、表面または表裏両面の画像を読み取られた原稿は、排出ローラＲ１０，Ｒ１１（排出ローラＲ１１は光学系２側に設けられている）によって原稿排出点よりも低い位置にある原稿読取装置１の側面に支持された排紙トレイ１７上へと排出される。
この原稿の排出動作の確認は、アクチュエータＳ６ａおよびセンサ本体Ｓ６ｂからなる排紙検出器Ｓ６によって検知される。
以上の動作が、原稿トレイ２２上にセットされた原稿がなくなるまで繰り返され、読み取りが完了した原稿はすべて排紙トレイ１７上に順次排出される。
【００４０】
また、原稿トレイ２２は、原稿が順次給紙される毎に原稿束の高さが下がってくるので、呼込ローラＲ１の位置が下がった分だけ上昇して、常に原稿束の最上面と呼込ローラＲ１とが所定の状態を保てるように監視されている。
このため、原稿トレイ２２は、支点２２ａを中心に揺動可能になっており、その支点２２ａとは反対側の端部に設けられたリブ２２ｂが、昇降プレート３１によって押し上げられることによって昇降可能となっている。昇降プレート３１は、リブ２２ｂとは反対側の端部がプレート支持軸３２に固着されており、このプレート支持軸３２が伝達部材（歯車）列からなる昇降機構部３４を介して昇降モータ３３によって回転駆動される。
【００４１】
さらに、原稿トレイ２２は、上述したように安定した原稿の搬送を保証できるように設定された湾曲搬送経路２３によって必然的に形成される湾曲搬送経路２３の入口側と出口側との高さの範囲内で上下できるようになっており、この上下方向に変位することによって、大量の原稿の載置が可能になるとともに、原稿トレイ２２上に載置された大量の原稿の最上面を湾曲搬送経路２３の入口へと給紙可能な状態まで上昇させ、順次給紙するようになっている。
また、原稿トレイ２２には、原稿の側部を揃えるための原稿規制板３０が設けられており、この原稿規制板３０の位置は、原稿サイズ検出器Ｓ０によって検出され、セットされた原稿のサイズが検出できるようになっている。
【００４２】
一方、原稿台１２上の原稿を読み取る際には、光源ユニット１３は、図１中のＰｏｓ３の位置からＰｏｓ４の位置の方向に、原稿サイズ検出器Ｓ９（図１には図示せず。図２参照）等で検出されたサイズに応じて所定距離だけ移動するようになっている。これに対して、搬送されている原稿を読み取る際には、Ｐｏｓ１の位置に停止して行う。
また、Ｐｏｓ３，Ｐｏｓ４またはＰｏｓ３の位置とＰｏｓ１の位置との中間の位置のいずれかを、光源ユニット１３の位置検出器を基準にホームポジションとし、使用されていない待機中にはこのホームポジションで停止している。
【００４３】
この原稿台１２上の原稿を読み取るために、ＡＤＦ３は、画像読取装置１の奥側（紙面奥側）にて、光学系２との間に設けられたヒンジ（図示せず）を回動支点として、上方に回動するようになっている。
これにより、画像読取装置１では、紙面手前側から、原稿台１２の上面を開放できるようになっており、搬送できないブック物の原稿等を原稿台１２にセットできるようになっている。そして、ＡＤＦ３側には、原稿台１２に対向して原稿マット３５が設けられている。
【００４４】
上述のように構成される画像読取装置１は、静止読取モード、走行読取モード、両面読取モードの３つのモードで原稿の読み取りが可能である。
静止読取モードは、ブック物等の前記原稿台１２上に載置された原稿を、前記光源ユニット１３およびミラーユニット１４を走査しつつ、ＣＣＤ読取ユニット１１によって読み取るモードである。
また、走行読取モードおよび両面読取モードは、共に原稿トレイ２２にセットされた原稿を、ＡＤＦ３で自動的に１枚ずつ給送しながら読み取るモードである。なお、走行読取モードは、ＡＤＦ３の原稿トレイ２２に原稿がセットされた時点で自動的に設定されるようになっている。
【００４５】
走行読取モードであって、かつ、通常の片面読取モードが設定されている場合にはＣＣＤ読取ユニット１１によって原稿の第１面の読み取りを行うが、後述する出力対象面切換機能や、画像形成面自動識別機能がアクティブにされている場合には、ＣＣＤ読取ユニット１１およびＣＩＳ２１を共に使用して原稿の第１面および第２面の読み取りを行う。つまり、出力対象面切換機能と画像形成面自動識別機能は、使用者の意思によって任意に設定される。
一方、両面読取モードではＣＣＤ読取ユニット１１およびＣＩＳ２１を共に使用して原稿の第１面および第２面の読み取りを行う。両面読取モードは使用者の意思によって任意に設定されるモードであり、両面読取モードが設定された場合は上記の出力対象面切換機能や画像形成面自動識別機能はアクティブにならないようになっている。
原稿載置トレイ２２にセット可能な原稿の最大枚数は、例えば１５０枚である。
【００４６】
（１−２）画像読取装置の電気的構成
図２は、上述のように構成される画像読取装置の電気的構成を示すブロック図である。
この図２において、図１の構成に対応する部分には、同一の参照符号を付して示し、その説明を省略する。マイクロコンピュータなどで実現される制御部４１には、原稿トレイ２２にセットされた原稿のサイズを検出する原稿サイズ検出器Ｓ０や第２原稿サイズ検出器Ｓ７、原稿台１２上にセットされた原稿のサイズを検出する原稿サイズ検出器Ｓ９での検出結果に基づいて、使用する用紙やタイミングなどの制御の切換えを行う。
【００４７】
そして、ＣＣＤ読取ユニット１１を使用しての読み取りでは、制御部４１は、ステッピングモータ４２によって光源ユニット１３およびミラーユニット１４を駆動するとともに、光源ユニット検出器Ｓ８によって検出された光源ユニット１３の位置に応じて、露光ランプ１３ａやＣＣＤ１１ｂを駆動し、原稿の画像情報を読み取る。
【００４８】
これに対して、ＡＤＦ３を使用しての読み取りでは、制御部４１は、呼込ローラ位置検出器Ｓ２の出力に応答して昇降モータ３３を駆動して、原稿トレイ２２にセットされた原稿束の上面高さを一定に保持しながら、原稿検出器Ｓ１によって、原稿トレイ２２上の原稿がなくなったことが検出されるまで、各検出器Ｓ３〜Ｓ６の検出結果に応答して、原稿搬送モータ４３、呼込ローラＲ１のクラッチ４４およびレジストローラＲ８，Ｒ９のクラッチ４５を制御して搬送を行いつつ、ＣＣＤイメージセンサ１１ｂおよび／またはＣＩＳ２１を駆動し、原稿の画像情報を読み取る。
【００４９】
また、制御部４１は、ＣＣＤイメージセンサ１１ｂによって読み取られた第１面の画像情報と、ＣＩＳ２１によって読み取られた第２面の画像情報をそれぞれ分けて記憶部４７に記憶させると共に、出力すべき面の画像情報を記憶部４７から読み出して出力する。
比較部４８は、片面にのみ画像が形成された通常の原稿が用いられ、使用者が原稿の表裏のセット方向を間違えた場合に、原稿を正しい向きでセットし直して最初から読み取り直す手間を省くために、記憶部４７に記憶された第１面の画像情報と第２面の画像情報を比較する機能を有し、制御部４１は比較部４８の比較結果に基づいて原稿の画像形成面を判断する。
制御部４１は、液晶タッチパネル等で実現される操作部４６に必要な情報を表示するとともに、操作部４６への使用者の入力操作、例えば、片面読取モードや両面読取モードの設定などを受け付ける。
【００５０】
（１−３）制御部の制御フロー
図３及び図４は制御部４１（図２参照）の制御フローを示すフローチャート図である。なお、図３及び図４に示されるフローチャート図は、走行読取モードにおいて予め使用者によって片面読取モード（原稿の第１面のみを読み取って出力することを意図するモード）が設定され、かつ、出力対象面切換機能と画像形成面自動識別機能がアクティブにされている場合を前提としている。
また、以下の説明において、図１および図２の構成に対応する部分には、同一の参照符号を付して説明するので、必要であれば適宜、図１又は図２を参照されたい。
【００５１】
まず、図３に示されるように、制御部４１は、原稿が原稿トレイ２２にセットされたか否かを判断する（ステップ１）。ステップ１において、原稿が原稿トレイ２２にセットされたと判断すると次のステップへ進み、制御部４１はＣＣＤ読取ユニット１１とＣＩＳ２１の両方を読取可能に設定する（ステップ２）。
ステップ２においてＣＣＤ読取ユニット１１とＣＩＳ２１が読取可能に設定されると、制御部４１は次のステップに進み、スタートキーＫ５（図５参照）が押されたか否かを判断する（ステップ３）。
【００５２】
ステップ３において、スタートキーＫ５が押されたと判断すると、制御部４１は次のステップへ進み原稿の供給と搬送を開始する（ステップ４）。
ステップ４において原稿の供給と搬送が開始されると、制御部４１は次のステップへ進み、原稿の第１面と第２面の画像をＣＣＤ読取ユニット１１とＣＩＳ２１でそれぞれ読み取る（ステップ５）。
ステップ５において原稿の第１面と第２面の画像情報がそれぞれ読み取られると、制御部４１は次のステップに進み、第１面と第２面の画像情報を記憶部４７に記憶させる（ステップ６）。
【００５３】
ステップ６において第１面と第２面の画像情報がそれぞれ記憶部４７に記憶されると、制御部４１は記憶部４７に記憶された第１面と第２面の画像情報を比較部４８に比較させ、原稿の第１面と第２面の両面に画像があるか否かを判断する（ステップ７）。
ステップ７において原稿の片面、すなわち原稿の第１面と第２面のいずれか一方にのみ画像があると判断されると、制御部４１は次のステップに進み、画像が存在する面の画像情報を記憶部４７から出力する（ステップ８）。
ステップ８において画像が存在する面の画像情報を出力すると、制御部４１は次のステップに進み、画像が存在した方の面、すなわちステップ７で画像があると判断した原稿の第１面又は第２面のいずれか一方を出力対象面に設定する（ステップ９）。
【００５４】
この際、図示しないが、制御部４１は出力対象面から除外された面に対応する読取手段、すなわちＣＣＤ読取ユニット１１又はＣＩＳ２１の読取動作を停止させ、消費電力の軽減を図る。
制御部４１は、必要であれば読取動作を停止させた読取手段の光源に対する電力の供給も停止し、更なる消費電力の軽減を図る。
但し、停止させた読取手段の光源に対する電力の供給が停止された場合は、既に読み取られた原稿の画像情報と、以降に読み取られる原稿の画像情報に明るさの差異が生じるので、制御部４１は既に読み取られた原稿の画像情報の明るさを基準にして、以降に読み取られる原稿の画像情報に対して明るさの補正処理を行う。
読取手段の読取動作のみが停止され、光源への電力の供給が継続される場合は上記のような補正処理は必要ない。
停止された読取手段の光源への電力の供給を止めるか否かは、スタート前に予め設定されている省電力モードによって決定される。
【００５５】
その後、制御部４１は次のステップに進み、原稿トレイ２２に原稿が残っているか否かを判断し（ステップ１０）、原稿がなくなったと判断すると次のステップへ進んで全ての原稿の出力が完了したかを判断し（ステップ１１）、全ての原稿の出力が完了したと判断すると一連のフローを終了する。
【００５６】
一方、ステップ７において、原稿の両面、すなわち原稿の第１面及び第２面のいずれにも画像があると判断されると、制御部４１は次のステップに進んで読取対象面を切換えるかを問いかける「案内表示」（図６参照）を操作パネルＰ（図５参照）に表示する（ステップ４１）。
ステップ４１において、「案内表示」が操作パネルＰに表示されると、制御部４１は図４に示される次のステップに進み、読み取った原稿の予め定められた面（片面読取モードにおいては原稿の第１面が出力すべき面として予め設定される）の画像情報を記憶部４７から出力する（ステップ４２）。
【００５７】
ステップ４２において原稿の第１面の画像情報が出力された後、制御部４１は出力対象面を出力していない面、すなわち第２面へ切換える操作を受け付ける切換キーＫ０（図５参照）を操作パネルＰに表示する（ステップ４３）。
ステップ４３において切換キーＫ０が表示されると、制御部４１は次のステップへ進みクリアキーＫ３（図５参照）が押されたか否かを判断する（ステップ４４）。
というのは、通常、使用者は出力対象面が誤っていることに気付いた場合、この発明による新たな機能である切換キーＫ０ではなく、従来より存在したクリアキーＫ３を反射的に押すことが十分想定されるからである。
【００５８】
ステップ４４においてクリアキーＫ３が押されなかった場合、制御部４１は次のステップへ進み、切換キーＫ０が押されたか否かを判断する（ステップ４５）。
ステップ４５において切換キーＫ０も押されなかった場合、制御部４１は次のステップへ進み、原稿トレイ２２に原稿が残っているか否かを判断し（ステップ４６）、原稿がなくなったと判断すると次のステップへ進んで全ての原稿の出力が完了したかを判断し（ステップ４７）、全ての原稿の出力が完了したと判断すると一連のフローを終了する。
【００５９】
一方、ステップ４４においてクリアキーＫ３が押された場合、制御部４１は次のステップへ進んで読取と出力を中断する（ステップ４８）。
ステップ４８において読取と出力が中断されると、制御部４１は次のステップへ進み、切換キーＫ０が押されたか否かを判断する（ステップ４９）
ステップ４９、或いは先のステップ４５において切換キーＫ０が押された場合、制御部４１は次のステップへ進み、今まで出力していた面、すなわち第１面から出力していなかった面、すなわち第２面へ出力対象面を切換え、記憶部４７に記憶されている第２面の画像情報を１枚目の原稿へ遡って順次出力し直す（ステップ５１）。
【００６０】
ステップ５１において、第２面の画像情報が出力し直されると、制御部４１は次のステップへ進み、中断していた原稿の読取を再開する（ステップ５２）。
この際、図示しないが、制御部４１は原稿の第２面を出力対象面に設定し、上述の節電モードにより、ＣＣＤ読取ユニット１１の読取動作を停止させるか、或いは、ＣＣＤ読取ユニット１１の読取動作を停止させると共に、光源ユニット１３への電力の供給を止めることにより消費電力の軽減を図る。
【００６１】
ステップ５１において原稿の読取が再開されると、制御部４１は原稿トレイ２２に原稿が残っているか否かを判断し（ステップ５３）、原稿がなくなったと判断すると次のステップへ進んで全ての原稿の出力が完了したかを判断し（ステップ５４）、全ての原稿の出力が完了したと判断すると一連のフローを終了する。
一方、ステップ４９において切換キーＫ０が押されなかった場合、制御部４１は次のステップへ進み、クリアキーＫ３が押されてから所定時間が経過したか否かを判断する（ステップ６１）。
ステップ６１においてクリアキーＫ３が押されてから所定時間が経過したと判断されると、制御部４１は次のステップへ進んでクリアキー本来の機能である読取と出力を中止すると共にそれを使用者に知らせる「キャンセル」表示を操作パネルＰに表示し（ステップ６２）、一連のフローを終了する。
【００６２】
（１−４）操作パネルの説明
図５は、図２のブロック図に示される操作部４６の一構成例を示す正面図である。操作部４６は、画像読取装置１の上面に設けられ、各種キーＫ１〜Ｋ８を備えるとともに、液晶タッチパネルなどで実現される操作パネルＰを備えて構成されている。
その右側にテンキーＫ１、スタートキー（プリント開始キー）Ｋ５、クリアキーＫ３、割込キーＫ２及び全解除キーＫ４が配置されている。
左側には動作モードを切換えるためのモードキー、ファックスキーＫ６、プリンタキーＫ７、コピーキーＫ８が配置されている。
この操作パネルＰの画面上には、種々の画面が切換えて表示される。これらの画面中では、種々の条件を設定するタッチキーが配置されており、タッチキーを指で直接押圧操作して、各種条件設定が可能になっている。また、操作のガイダンスや警告等もこの操作パネルＰに表示される。
【００６３】
この図５の例では、前記操作パネルＰ中に、出力対象面（読取対象面）を切換えるための切換キーＫ０が表示されるようになっている。この「切換」キーＫ０は、走行読取モードにおいて片面読取モードが設定され、かつ、出力対象面切換機能がアクティブにされている場合に、読取動作中に表示されるキーであり、この切換キーＫ０が操作されると上述の制御フローの項で説明した通り出力対象面が切換えられる。
【００６４】
なお、この実施例では、第１面の画像情報と第２面の画像情報の両方を記憶部に記憶させているが、記憶部の容量に制限がある装置などでは、出力対象面が切換えられた場合に出力すべき第２面の画像情報のみを記憶部に記憶させるように構成されていてもよい。このような構成では、第１面の画像情報は記憶部に記憶されることなく出力されるが、出力対象面切換機能は上述の制御フローの項で説明したのと同様のフローでもって機能させることができる。
また、第１面の画像情報と第２面の画像情報の両方を記憶させるか、或いは、第２面の画像情報のみを記憶させるかは、制御部の処理能力や記憶部の容量等に応じて使用者が任意に設定できるように構成されていてもよい。
【００６５】
（２）画像形成装置
図７は、上述の画像読取装置１を読取部１１０として備えた画像形成装置１００（デジタル複合機）の概略構成を示す図である。この画像形成装置１００では、読取部１１０にて読み取られ記憶部４７（図２参照）に記憶された画像情報が、図示しない画像情報入力部へと送られ、画像情報に対して所定の画像処理が施された後、画像処理部のメモリに一旦記憶され、出力指示に応じてメモリ内の画像を読み出して画像形成部２１０の光書込装置であるレーザ書込ユニット２２７に転送されるよう構成されている。
【００６６】
また、図示されないが、画像形成装置１００は、読取部１１０により最終的に出力された画像情報を記憶するための外部記憶手段を接続可能に構成されている。画像形成装置１００は、画像形成を行うことなく外部記憶手段に画像情報のみを記憶させることもできるが、画像形成を行いつつ画像情報を外部記憶手段に記憶させることもできる。
読取部１１０による原稿の読取中に、上述の出力対象面切換機能が使用された場合、画像形成装置１００の制御部２４７は、先に記憶されていた第１面の画像情報に切換後の第２面の画像情報を上書きすることにより、最終的に出力された画像情報のみが外部記憶手段に記憶されるようにする。
【００６７】
レーザ書込ユニット２２７は、前記メモリから読み出した画像情報、または外部の装置から転送されてきた画像情報に応じてレーザ光を出射する半導体レーザ光源、レーザ光を等角速度で偏向されるように補正するｆ−θレンズなどから構成されている。なお、この実施例では、書込装置としてレーザ書込ユニットを用いているが、ＬＥＤやＥＬ等の発光素子アレイを用いた固体走査型の光書込ヘッドユニットを用いてもよい。
【００６８】
画像形成部２１０にはその他、感光体ドラム２２２の周囲に、感光体ドラム２２２を所定の電位に帯電させる帯電器２２３、感光体ドラム２２２上に形成された静電潜像にトナーを供給して顕像化する現像器２２４、感光体ドラム２２２表面に形成されたトナー像をシートに転写する転写器（転写チャージャ等）２２５、余分なトナーを回収するクリーニング器２２６、除電器（除電チャージャ等）２２９を備えている。この画像形成部２１０で画像が転写されたシートは、その後、定着ユニット２１７に送られ、画像がシートに定着されプリント物となる。
【００６９】
画像形成部２１０の排出側には、上記定着ユニットの他に、シートの裏面に再度画像を形成するためにシートの前後を反転させるスイッチバック路２２１、画像が形成されたプリント物に対して仕分を行うことができるように複数の排出トレイが備えられた後処理装置２６０が装着されており、複数の排出トレイのうち、２６１は昇降可能な排出トレイとなっている。
定着ユニット２１７にてトナー像が定着されたプリント物は、必要に応じてスイッチバック路２２１を経て排紙ローラ２１９にて後処理装置２６０へと導かれ、ここで仕分けられて排出される。
また、プリント物の仕分けは、図示していないが、プリント物の排出方向と直交する方向に移動可能な排出トレイを設けて仕分けを行ったり、後処理装置２６０内にプリント物を掴んでその排出方向を９０°変換する仕分け手段を設け、先に排出されたプリント物の上に排出方向が９０°変換されたプリント物が直交して重なるように排出することにより仕分けられても構わない。
【００７０】
なお、画像形成装置１００の制御部２４１は、読取部１１０の制御部４１（図２参照）と互いに通じており、読取部１１０の制御部４１から出力対象面が切換えられたことを通知されると、先に排出された第１面の画像が形成されたプリント物と、第２面の画像が形成されたプリント物が異なる排出トレイに排出されるように後処理装置２６０を制御するか、或いは第２面の画像が形成されたプリント物の排出方向を９０°変換して排出するように後処理装置２６０内の仕分け手段（図示せず）を制御することにより、不要なプリント物と必要なプリント物とを仕分け使用者の手間を省く。
【００７１】
給紙部は、上記画像形成部２１０の下方に配設されており、本体に備えられた手差トレイ２５４、両面ユニット２５５、用紙トレイ２５１と多段給紙部２７０に備えられた給紙トレイ２５２，２５３で構成されている。
また、これらのトレイ２５１，２５２，２５３，２５４から給紙した用紙を画像形成部２１０における転写器が配置された転写位置へと搬送する搬送手段２５０を備えている。両面ユニット２５５は、シートを反転させるスイッチバック路２２１に通じており、シートの両面に画像形成を行うときに用いられる。
なお、両面ユニット２５５は通常の用紙カセットと交換可能な構成となっており、両面ユニット２５５を通常の用紙カセットに置き換えた構成することも可能となっている。
【図面の簡単な説明】
【００７２】
【図１】この発明の実施例による画像読取装置の概略的な構成を示す説明図である。
【図２】この発明の実施例による画像読取装置の概略的な電気的構成を示すブロック図である。
【図３】図２に示される制御部の制御フローを示すフローチャート図である。
【図４】図２に示される制御部の制御フローを示すフローチャート図である。
【図５】図２に示される操作部の一例として操作パネルの構成を示す説明図である。
【図６】使用者に出力対象面の切換案内を行う場合に操作パネルに表示される「案内表示」の一例を示す説明図である。
【図７】図１に示される画像読取装置を読取部として備えた画像形成装置の概略的な構成を示す説明図である。
【符号の説明】
【００７３】
１・・・画像読取装置
２・・・光学系
３・・・ＡＤＦ
１１・・・ＣＣＤ読取ユニット
１１ａ・・・結像レンズ
１１ｂ・・・ＣＣＤ
１２，１６・・・原稿台
１３・・・光源ユニット
１３ａ・・・光源
１３ｂ，１３ｄ，１４ａ，１４ｂ・・・ミラー
１３ｃ・・・スリット
１４・・・ミラーユニット
１５・・・副走査方向
１７・・・排紙トレイ
２１・・・ＣＩＳ
２２・・・原稿トレイ
２２ａ・・・支点
２２ｂ・・・リブ
２３・・・湾曲搬送経路
２４・・・レジスト・斜行補正領域
２５・・・アーム
３０・・・原稿規制板
３１・・・昇降プレート
３２・・・昇降プレート支持軸
３３・・・昇降モータ
３４・・・昇降機構部
４１・・・制御部
４２・・・ステッピングモータ
４３・・・原稿搬送モータ
４４・・・呼込ローラクラッチ
４５・・・レジストローラクラッチ
４６・・・操作部
４７・・・記憶部
４８・・・比較部
１００・・・画像形成装置
１１０・・・読取部（画像読取装置１）
２１０・・・画像形成部
２１７・・・定着ユニット
２１９・・・排紙ローラ
２２１・・・スイッチバック路
２２２・・・感光体ドラム
２２３・・・帯電器
２２４・・・現像器
２２５・・・転写器
２２６・・・クリーニング器
２２７・・・レーザ書込ユニット
２２９・・・除電器
２４１・・・制御部
２５１・・・用紙トレイ
２５２，２５３・・・給紙トレイ
２５４・・・手差トレイ
２５５・・・両面ユニット
２６０・・・後処理装置
２６１・・・排出トレイ
２７０・・・多段給紙部
Ｋ０・・・切換キー
Ｋ１・・・テンキー
Ｋ２・・・割込キー
Ｋ３・・・クリアキー
Ｋ４・・・全解除キー
Ｋ５・・・スタートキー
Ｋ６・・・ファックスキー
Ｋ７・・・プリンタキー
Ｋ８・・・コピーキー
Ｐ・・・操作パネル
Ｒ１・・・呼込ローラ
Ｒ２，Ｒ２ａ・・・分離ローラ
Ｒ３，Ｒ４，Ｒ５，Ｒ６，Ｒ７・・・搬送ローラ
Ｒ８，Ｒ９・・・レジストローラ
Ｒ１０，Ｒ１１・・・排出ローラ
Ｓ０，Ｓ９・・・原稿サイズ検出器
Ｓ１・・・原稿検出器
Ｓ１ａ，Ｓ３ａ，Ｓ４ａ・・・アクチュエータ
Ｓ１ｂ，Ｓ３ｂ，Ｓ４ｂ・・・センサ本体
Ｓ２・・・呼込ローラ位置検出器
Ｓ３，Ｓ４，Ｓ５・・・給紙検出器
Ｓ６・・・排紙検出器
Ｓ７・・・第２原稿サイズ検出器
Ｓ８・・・光源ユニット検出器
【図１】
2006067309.tif 000003
【図２】
2006067309.tif 000004
【図３】
2006067309.tif 000005
【図４】
2006067309.tif 000006
【図５】
2006067309.tif 000007
【図６】
2006067309.tif 000008
【図７】
2006067309.tif 000009